(57)【特許請求の範囲】
【請求項１】
第１電線巻取部と第２電線巻取部とが仕切り板を介して設けられた巻取ローラが２つの電線導出部を有するケーシング内に回転付勢バネを介して回転可能に収納され、前記巻取ローラの前記第１電線巻取部に電線を巻き付けた状態で一方の前記電線導出部から前記電線の一方の端部側を導出し、且つ前記電線の他方の端部側を前記仕切り板を介して前記第２電線巻取部で前記第１電線巻取部での電線巻取方向と逆巻きに巻き付けて他方の前記電線導出部から導出すると共に、前記２つの電線導出部のうちいずれかの前記電線導出部で前記電線を固定されてなる電線巻取装置において、
前記第１電線巻取部と前記第２電線巻取部のうち一方に対向する前記仕切り板の表面に、前記巻取部の回転軸から外側へ向けて漸次高さが高くなる電線保持部材が形成され、この電線保持部材と前記ケーシングの内壁面とで外側に向けて狭くなる空間が形成されていることを特徴とする電線巻取装置。
【請求項２】
請求項１記載の電線巻取装置であって、
前記電線保持部材は、前記仕切り板の表面に前記回転軸から外側へ向けて高くなる電線保持用リブであることを特徴とする電線巻取装置。
【請求項３】
請求項１記載の電線巻取装置であって、
前記電線保持部材は、前記仕切り板の表面に前記回転軸から外側へ向けて傾斜して立ち上がる電線保持用可撓板であることを特徴とする電線巻取装置。
【請求項４】
請求項１ないし請求項３のいずかに記載の電線巻取装置であって、
前記第１電線巻取部と前記第２電線巻取部とはその巻取半径が異なり、且つ該巻取半径が短い方の巻取部から前記ケーシング外へ導出される電線が当該ケーシングに固定されていることを特徴とする電線巻取装置。
【発明の詳細な説明】
【０００１】
【発明の属する技術分野】
本発明は、電線巻取装置に関し、詳しくは、フレキシブルな電線を引き出し・引き込み可能にした電線巻取装置に関する。
【０００２】
【従来の技術】
従来、この種の電線巻取装置としては、図１１および図１２に示すようなものがある。この電線巻取装置１は、中央にローラ用回転軸２Ａが突設されたケーシング２と、ローラ用回転軸２Ａに内端部３Ａが固定されるゼンマイバネ３と、ローラ用回転軸２Ａおよびゼンマイバネ３を収容する円形の凹部４が下面に形成され且つケーシング２内に収容される巻取ローラ５と、ケーシング２の上部開口を閉塞する蓋体６とから大略構成されている。
【０００３】
上記したゼンマイバネ３の外端部３Ｂは、凹部４の内周面に固定されている。巻取ローラ５は中間位置に形成された仕切り板８を隔てて、下位電線巻取部５Ａと上位電線巻取部５Ｂとが設けられている。下位電線巻取部５Ａには、その下面に上記した凹部４が形成され且つ外周面にガイド用帯体７の一端が固定されている。また、上位電線巻取部５Ｂは、その軸半径が下位電線巻取部５Ａより短い径寸法に設定されている。なお、仕切り板８の周縁には、電線挿通用切り欠き８Ａが形成されている。
【０００４】
このような電線巻取装置１に電線Ｗを巻き取り・装着するには、巻取ローラ５の下位電線巻取部５Ａに一端が固定されたガイド用帯体７に一体的に電線Ｗを支持して、ガイド用帯体７と共に電線Ｗを下位電線巻取部５Ａに巻き取る。次に、仕切り板８の電線挿通用切り欠き８Ａに電線Ｗを通して上位電線巻取部５Ｂに、少ない巻回数例えば１巻させる。このとき、上位電線巻取部５Ｂを周回する電線Ｗは、ケーシング２の内周面近傍に沿って巻回される。この状態で巻取ローラ５をケーシング２に収納する。このとき、電線Ｗの一端側は、図１１に示すケーシング２の一方の開口部２Ｂから導出され、電線Ｗの他端側は、ケーシング２の他方の開口部２Ｃから導出され且つこの開口部２Ｃに固定する。そして、最後に、巻取ローラ５が回転可能にネジ止めをした後、蓋体６をケーシング２に装着することにより、電線巻取装置１への電線装着が終了する。
【０００５】
このような構成の従来の電線巻取装置１ではケーシング２の開口部２Ｃ側から電線Ｗを引き出すことはできず、電線Ｗの引き出しは専ら開口部２Ｂ側で行う。すなわち、下位電線巻取部５Ａに巻き取られた電線Ｗをガイド用帯体７と共に、ケーシング２の開口部２Ｂから引くと、ガイド用帯体７の一端が下位電線巻取部５Ａに固定されているため、下位電線巻取部５Ａに巻かれた所定長さ分だけ電線Ｗを引き出せるように設定されている。この電線Ｗの引き出し動作に応じて、ゼンマイバネ３が巻き縮み、所定長さの電線Ｗが引き出された時点で巻取ローラ５の回転を規制するようになっている。このような下位電線巻取部５Ａの動作に同期して上位電線巻取部５Ｂでは、逆に、電線巻き取り動作を行うようになっている。
【０００６】
ここで、図１３を用いて上位電線巻取部５Ｂでの電線Ｗの巻き取り状態について説明する。図１３（ａ）は、下位電線巻取部５Ａから電線Ｗが引き出されたときの上位電線巻取部５Ｂの状態を示している。このとき、電線Ｗは上位電線巻取部５Ｂの巻取軸に直接巻き取られている。図１３（ｂ）は、下位電線巻取部５Ａに電線Ｗがゼンマイバネ３の付勢力により巻き戻されているときの上位電線巻取部５Ｂの状態を示している。このとき、電線Ｗは上位電線巻取部５Ｂの巻取軸から離れて周回するように配置される。
【０００７】
【発明が解決しようとする課題】
しかしながら、前記従来の電線巻取装置１にあっては、下位電線巻取部５Ａに電線Ｗを巻き取った状態では、図１３（ｂ）に示すように、上位電線巻取部５Ｂに位置する電線Ｗは弛んだ状態であり、図１３（ｂ）中矢印で示す方向に電線Ｗが揺動してがたつきを起こし、異音が発生するなどの問題点があった。また、これに伴って電線Ｗが蓋体６や仕切り板８に当たるため、電線Ｗが損傷され易くなるという問題点があった。
【０００８】
そこで、本発明は、前記課題を解決すべくなされたものであり、がたつきや異音の発生を防止することができる電線巻取装置を提供することを目的とする。
【０００９】
【課題を解決するための手段】
請求項１記載の発明は、第１電線巻取部と第２電線巻取部とが仕切り板を介して設けられた巻取ローラが２つの電線導出部を有するケーシング内に回転付勢バネを介して回転可能に収納され、前記巻取ローラの前記第１電線巻取部に電線を巻き付けた状態で一方の前記電線導出部から前記電線の一方の端部側を導出し、且つ前記電線の他方の端部側を前記仕切り板を介して前記第２電線巻取部で前記第１電線巻取部での電線巻取方向と逆巻きに巻き付けて他方の前記電線導出部から導出すると共に、前記２つの電線導出部のうちいずれかの前記電線導出部で前記電線を固定してなる電線巻取装置において、前記第１電線巻取部と前記第２電線巻取部のうち一方に対向する前記仕切り板の表面に、前記巻取部の回転軸から外側へ向けて漸次高さが高くなる電線保持部材が形成され、この電線保持部材と前記ケーシングの内壁面とで外側に向けて狭くなる空間が形成されていることを特徴とする。
【００１０】
このような構成の請求項１記載の発明では、巻取ローラの一方の巻取部に対向する仕切り板の表面に、巻取部の回転軸から外側へ向けて漸次高くなる電線保持部材が形成され、この電線保持部材とケーシングの内壁面とで外側に向けて狭くなる空間が形成されているため、電線の巻きが弛んだ場合に電線保持部材が電線を保持してがたつきを防止する作用がある。
【００１１】
また、請求項２記載の発明は、請求項１記載の電線巻取装置であって、前記電線保持部材は、前記仕切り板の表面に前記回転軸から外側へ向けて高くなる電線保持用リブであることを特徴とする。
【００１２】
このような構成の請求項２記載の発明では、電線保持用リブの傾斜面を電線が円滑に摺動して、仕切り板側とケーシング側との狭くなった空間に電線が収まるため、電線を保持する作用がある。また、電線が電線巻取部へ巻き取られる場合も、電線が電線保持リブの傾斜面を円滑に摺動して巻き取り動作を円滑に行うことができる。
【００１３】
さらに、請求項３記載の発明は、請求項１記載の電線巻取装置であって、前記電線保持部材は、前記仕切り板の表面に回転軸から外側へ向けて傾斜して立ち上がる電線保持用可撓板であることを特徴とする。
【００１４】
このような構成の請求項３記載の発明では、請求項１記載の発明の作用に加えて、電線保持用可撓板の傾斜面に沿って電線が移動できるため、電線の巻き状態に応じて電線ががたつくのを抑制する作用がある。
【００１５】
また、請求項４記載の発明は、請求項１ないし請求項２のいずかに記載の電線巻取装置であって、前記第１電線巻取部と前記第２電線巻取部とはその巻取半径が異なり、且つ該巻取半径が短い方の巻取部から前記ケーシング外へ導出される電線が当該ケーシングに固定されていることを特徴とする。
【００１６】
このような構成の請求項４記載の発明では、一方の電線巻取部と他方の電線巻取部とが径寸法が異なるため、径寸法の長い方の電線巻取部を電線引き出し用の巻取部とすることができる。すなわち、径寸法の長い方の電線巻取部の回転モーメントの腕を長くすることで、電線の引き出し引き戻しを容易にすることができる。
【００１７】
【発明の実施の形態】
以下、本発明に係る電線巻取装置の詳細を図面に示す実施形態に基づいて説明する。
【００１８】
図１は電線巻取装置１０の実施形態を示す分解斜視図、図２は要部斜視図、図３は電線を組み付けた状態の斜視図である。この電線巻取装置１０は、中央にローラ用回転軸１１Ａが突設されたケーシング１１と、ローラ用回転軸１１Ａに内端部１２Ａが固定されるゼンマイバネ（回転付勢バネ）１２と、ローラ用回転軸１１Ａおよびゼンマイバネ１２を収容する円形の凹部（図示省略する）が下面に形成され且つケーシング１１内に収容される巻取ローラ１３と、ケーシング１１の上部開口を閉塞する蓋体１４とから大略構成されている。なお、上記したゼンマイバネ１２の外端部１２Ｂは、巻取ローラ１３下面に形成された上記凹部の内周面に固定されている。巻取ローラ１３は中間位置に形成された仕切り板１５を隔てて、下位電線巻取部（第１電線巻取部）１６と上位電線巻取部（第２電線巻取部）１７とが設けられている。下位電線巻取部１６には、図３に示すように、外周面にガイド用帯体２０の一端が固定されている。また、上位電線巻取部１７は、その軸半径が下位電線巻取部１６より短い径寸法に設定されている。なお、仕切り板１５の周縁部には、電線挿通用切り欠き１５Ａが一カ所形成されている。
【００１９】
次に、巻取ローラ１３の上位電線巻取部１７側の構成について説明する。図２は、巻取ローラ１３の仕切り板１５と、蓋体１４との間の構造を示す斜視図である。図１〜図３に示すように、仕切り板１５の上面には、上位電線巻取部１７から外側へ向けて漸次高くなるように一体形成された略直角三角形状の電線保持用リブ（電線保持部材）１８が複数所定の回転角度間隔で立設されている。なお、電線保持用リブ１８の最高部と蓋体１４と間の距離は、電線Ｗの挟み込みを防止する理由で電線Ｗの直径寸法よりやや長くなるように設定することが好ましい。
【００２０】
ここで、電線巻取装置１０に電線Ｗを巻き取り・装着する方法について説明する。まず、巻取ローラ１３の下位電線巻取部１６に一端が固定されたガイド用帯体２０に一体的に電線Ｗを支持して、ガイド用帯体２０と共に電線Ｗを下位電線巻取部１６に所定回数巻き付ける。次に、仕切り板１５の電線挿通用切り欠き１５Ａに電線Ｗを通して上位電線巻取部１７側へ出し、電線Ｗを上位電線巻取部１７から離した位置で（仕切り板１５の周縁に沿って）少ない巻数、例えば、本実施形態では１回り半させる。この状態で巻取ローラ１３をケーシング１１に収納する。このとき、電線Ｗの一端側は、図１に示すケーシング１１の一方の開口部１１Ｂから導出され、電線Ｗの他端側は、ケーシング１１の他方の開口部１１Ｃから導出され且つこの開口部１１Ｃに固定板１９により固定する。そして、最後に、巻取ローラ１３を回転可能にネジ止めした後、蓋体１４をケーシング１１に装着することにより、電線巻取装置１０への電線装着が終了する。このとき、上位電線巻取部１７を周回する電線Ｗはケーシング１１の内周面近傍に沿って巻回された状態となる。
【００２１】
このような電線巻取装置１０では、図３に示すように、ケーシング１１の開口部１１Ｃ側から電線Ｗを引き出すことはできず、電線Ｗの引き出しは専ら開口部１１Ｂ側で行う。すなわち、下位電線巻取部１６に巻き取られた電線Ｗをガイド用帯体２０と共に、ケーシング１１の開口部１１Ｂから引くと、ガイド用帯体２０の一端が下位電線巻取部１６に固定されているため、下位電線巻取部１６に巻かれた所定長さ分だけ電線Ｗを引き出せるように設定されている。この電線Ｗの引き出し動作に応じて、ゼンマイバネ１２が巻き縮み、所定長さの電線Ｗが引き出された時点で巻取ローラ１３の回転を規制するようになっている。なお、図６（ａ）は下位電線巻取部１６の電線Ｗが引き出される前の状態を、図６（ｂ）は下位電線巻取部１６から電線Ｗが引き出されている状態を、図６（ｃ）は下位電線巻取部１６から電線Ｗを引き出し終わった状態を示している。下位電線巻取部１６の動作に同期して上位電線巻取部１７では、逆に電線巻き取り動作を行うようになっている。図４は、上位電線巻取部１７に電線Ｗが巻き付いた状態を示しており、下位電線巻取部１６では電線Ｗが引き出された状態である。また、図７（ａ）は下位電線巻取部１６で電線Ｗが引き出されていない状態（図６（ａ））に対応する上位電線巻取部１７の状態を示している。また、図７（ｂ）は、下位電線巻取部１６から電線Ｗが引き出されている状態（図６（ｂ））に対応する上位電線巻取部１７の状態を示している。さらに、図７（ｃ）は、下位電線巻取部１７で電線Ｗを引き出し終わった状態（図６（ｃ））に対応する上位電線巻取部１７の状態を示している。
【００２２】
そして、下位電線巻取部１６から引き出された電線Ｗを再度巻き取る場合は、電線Ｗをフリー状態にすることにより、ゼンマイバネ１２の付勢力で自動的に巻き取りが行われる。これに伴い、上位電線巻取部１７では、図４に示すように巻き取られていた電線Ｗが解れて、図５および図７（ａ）に示すように外側へ移動して弛んだ状態となる。本実施形態では、電線保持用リブ１８が形成されているため、図５に示すように、電線Ｗが外側へ膨らむにつれて電線Ｗが電線保持用リブ１８の斜面を摺動して昇り、電線保持用リブ１８と蓋体１４との狭い空間に収まってがたつきにくい状態となる。
【００２３】
このような構成の本実施形態では、電線保持用リブ１８を設けたことにより、電線Ｗを引き出す前の状態において、電線巻取装置１０ないで電線Ｗにがたつきが生じるのを防止することができる。このように電線Ｗを引き出す前の状態は、電線巻取装置１０の通常の状態であり、通常の状態において有効にがたつきを防止して、異音の発生や電線Ｗに損傷が生じるのを抑制することができる。
【００２４】
なお、本実施形態の電線Ｗの組み付け方法においては、上記した方法とは逆に、上位電線巻取部１７側から先に巻き付けを行った後に、下位電線巻取部１６へ電線Ｗを巻き付けても勿論よい。
【００２５】
以上、実施形態について説明したが、本発明は構成の要旨に付随する各種の設計変更が可能である。例えば、図８に示す他の変形形態のように、巻取ローラ１３の仕切り板１５の上に、内側から外側へ向けて撓んで立ち上がる可撓性を有する電線保持用可撓板（電線保持部材）２１を設ける構成としてもよい。このような構成とすることにより、図９に示すように、電線Ｗが上位電線巻取部１７から離れて弛んだ状態となっても電線保持用可撓板２１が電線Ｗを保持するため、電線巻取装置１０内の電線Ｗのがたつきを防止することができる。
【００２６】
また、図１０に示す別の実施形態のように、仕切り板１５の上に円周方向に沿って撓むように立設された電線保持板２２Ａ，２２Ｂ，２２Ｃを所定の間隔で配置してもよい。この場合、漸次、電線保持板（電線保持部材）２２Ａ，２２Ｂ，２２Ｃの高さが異なるように設定することにより、電線Ｗの巻き半径が長くなる場合に円滑にこれら電線保持板２２Ａ，２２Ｂ，２２Ｃに保持され得るようにすることができる。
【００２７】
また、前記各実施形態では、電線保持用リブ１８や電線保持用可撓板２１や電線保持板２２Ａ，２２Ｂ，２２Ｃを仕切り板１５の上面に形成したが、これに代えて、蓋体１４の下面（内側面）に形成する構成としても勿論よい。
【００２８】
さらに、前記各実施形態では、回転付勢バネとしてゼンマイバネを用いたが、捩りコイルバネや渦巻きバネ等の他のバネを用いてもよいことは勿論である。
【００２９】
【発明の効果】
以上の説明から明らかなように、請求項１記載の発明によれば、巻取部の回転軸から外側へ向けて漸次高くなる電線保持部材が形成され、この電線保持部材とケーシングの内壁面とで外側に向けて狭くなる空間が形成されているため、電線の巻きが弛んだ場合に電線保持部材が電線を保持してがたつきを防止することができる。
【００３０】
また、請求項２記載の発明によれば、請求項１記載の発明の効果に加えて、電線保持用リブの傾斜面を電線が円滑に摺動して、仕切り板側とケーシング側との狭くなった空間に電線が収まるようにすることができ、電線の移動を容易にする効果がある。
【００３１】
さらに、請求項３記載の発明によれば、請求項１記載の発明の作用に加えて、電線保持用可撓板の傾斜面に沿って電線が移動できるため、電線の巻き状態に応じて電線ががたつくのを抑制する作用がある。
【００３２】
また、請求項４記載の発明によれば、請求項１から請求項３に記載の発明の効果に加えて、径寸法の長い方の電線巻取部の回転モーメントの腕を長くすることで、電線の引き出し、引き戻しを容易にすることができる。
【図面の簡単な説明】
【図１】本発明に係る電線巻取装置の実施形態を示す分解斜視図である。
【図２】本発明の実施形態の電線巻取装置の要部の斜視図である。
【図３】本発明の実施形態の電線巻取装置の斜視図である。
【図４】本発明の実施形態における上位電線巻取部の巻取状態を示す断面説明図である。
【図５】本発明の実施形態における上位電線巻取部の弛み状態を示す断面説明図である。
【図６】（ａ）〜（ｃ）は本発明の実施形態の下位電線巻取部の各状態を示す断面説明図である。
【図７】（ａ）〜（ｃ）は本発明の実施形態の上位電線巻取部の各状態を示す断面説明図である。
【図８】本発明の他の実施形態を示す要部の斜視図である。
【図９】本発明の他の変形形態における上位電線巻取部の状態を示す断面図である。
【図１０】本発明の別の実施形態を示す斜視図である。
【図１１】従来の電線巻取装置の分解斜視図である。
【図１２】従来の電線巻取装置の断面図である。
【図１３】（ａ）および（ｂ）は従来の電線巻取装置の上位電線巻取部の状態を示す断面図である。
【符号の説明】
１０  電線巻取装置
１１，１４  ケーシング
１１Ｂ，１１Ｃ  電線導出部
１２  ゼンマイバネ（回転付勢バネ）
１３  巻取ローラ
１５  仕切り板
１６  下位電線巻取部（第１電線巻取部）
１７  上位電線巻取部（第２電線巻取部）
１８  電線保持用リブ（電線保持部材）
２１  電線保持用可撓板（電線保持部材）
Ｗ  電線
【図１】
0003607126.tif 000002
【図２】
0003607126.tif 000003
【図３】
0003607126.tif 000004
【図４】
0003607126.tif 000005
【図５】
0003607126.tif 000006
【図６】
0003607126.tif 000007
【図７】
0003607126.tif 000008
【図８】
0003607126.tif 000009
【図９】
0003607126.tif 000010
【図１０】
0003607126.tif 000011
【図１１】
0003607126.tif 000012
【図１２】
0003607126.tif 000013
【図１３】
0003607126.tif 000014